(57)【特許請求の範囲】
【請求項１】
一側に形成された入口を選択的に遮蔽するカバー部を一体に有したパウチと、及びその内部に収容保管された状態で選択的に外部に取り出して使用されるタオル体を備えるタオルにおいて、
前記タオル体は、端部に所定長さの連結バンドが一体に連結され、前記パウチは、入口と反対の位置に貫通穴を形成し、前記連結バンドの端部とパウチの外面の一側には、互いに選択的に着脱可能にする接合パーツが各々形成されていることを特徴とするタオル。
【請求項２】
前記接合パーツは、ベルクロテープまたはスナップファスナーのいずれか一つであることを特徴とする請求項１に記載のタオル。
【請求項３】
一側に形成された入口を選択的に遮蔽するカバー部を一体に有したパウチ、及びその内部に収容保管された状態で選択的に外部に取り出して使用されるタオル体を備えるタオルにおいて、
前記タオル体は、端部に所定長さの連結バンドが一体に連結形成され、前記パウチは、入口と反対の位置に内・外部へ両端が突出したバックルバンドを有し、前記連結バンドとバックルバンドは、互いに嵌合することによって選択的に分離結合される締結手段をさらに備えることを特徴とするタオル。
【請求項４】
前記締結手段は、１対の弾性部材を有する挿入体と、前記挿入体の弾性部材が弾力的に嵌合される組立溝を形成した収容体とで構成されることを特徴とする請求項３に記載のタオル。
【請求項５】
前記バックルバンドは、前記パウチの外部に露出される一端がループ状のループ部で形成されることを特徴とする請求項３に記載のタオル。
【請求項６】
一側に形成された入口を選択的に遮蔽するカバー部を一体に有したパウチ、及びその内部に収容保管された状態で選択的に外部に取り出して使用されるタオル体を備えるタオルにおいて、
前記タオル体は、端部に所定長さの連結バンドが一体に連結形成され、前記パウチは、入口と反対の位置に貫通穴を形成し、前記連結バンドの端部とパウチの外面一側には互いに弾性的に嵌合することによって選択的に分離結合される締結手段をさらに備えることを特徴とするタオル。
【請求項７】
前記締結手段は、一端が前記貫通穴を挿入通過する延長バンドと、前記延長バンドの両端と前記連結バンドの端部及びパウチの外面の一側にそれぞれ接合して形成され、弾性変位する弾性部材を有する挿入体と、及び挿入体の弾性部材が弾力的に嵌合する組立溝を形成した収容体とで構成されることを特徴とする請求項６に記載のタオル。
【発明の詳細な説明】
【技術分野】
【０００１】
本発明は、タオルに関するもので、より詳細には、携帯性及び保管性を向上させて、使用上の便利性を高めたタオルに関する。
【背景技術】
【０００２】
タオルは、顔や体の水分や汗、または各種異物をふき取るために使われる、布面に小さな糸の輪を織り出した綿織物であって手ぬぐいとも言う。このようなタオルは、その内部または表面にアンカットパイル（uncut  pile）があって、吸収性及び通風性に富んでいる。その用途によって風呂で使う大きいバスタオル、一般的な大きさのフェイスタオル、ポケットに入れて携帯するタオルハンカチ、運動や作業中に汗を拭くために使用するタオルなどがある。タオル用生地をタオル地と言うが、湿気性を高めたもので夏布団として使われる一重布団やパジャマを作るためにも利用されている。
【０００３】
各種土木及び建築工事現場、製造工場などの作業時、及び山登り、運動時に顔や体に汗が出たり、各種異物が付着することがあるが、このような汗のような水分や異物が目や体に付着すると各種作業及び運動に集中することができなくなるため、前記各種水分や異物をふき取るためにタオルを携帯している。
【０００４】
しかし、従来のタオルは、ズボンのポケットにタオルの一部を入れたり、首に巻いて携帯するのが一般的であった。
【０００５】
このため、タオルを携帯することが不便であるだけでなく、使用者の体から離れやすく、また、使用が不便になるという欠点があった。このように従来のタオルは、その携帯及び保管が非常に不便であった。
【０００６】
また、従来のタオルは、顔や体の一部に付着した水分などをふき取った後、タオルに吸収された水分が蒸発しにくく、長時間継続してタオルを使用すれば、汗の臭いや水分が残るなどの問題点があった。
【発明の概要】
【発明が解決しようとする課題】
【０００７】
そこで、本発明は上記従来の問題点に鑑みてなされたものであって、本発明の目的は、その携帯及び保管を便利にすると同時に、タオルに吸収された水分が外部に蒸発しやすくすることにより、その使用便利性を大きく向上させたタオルを提供することである。
【０００８】
本発明の他の目的は、内部に収容空間を有するパウチと、マイクロファイバーなどの機能性生地からなるタオル体を互いに分離可能にすることで、洗濯を容易にして、タオル体の使用範囲に制限されることなく使用上の便利性を高めると同時に、製品のデザインの自由度を向上させることができるタオルを提供することである。
【課題を解決するための手段】
【０００９】
上記目的を達成するためになされた本発明の一実施例によるタオルは、一側に開口が形成され、内部に収容空間を有し、外面に複数の通気孔が形成されているパウチと、前記パウチの開口を開閉するカバー部と、前記パウチ及びカバーのいずれか一側に連結されるタオル体と、及び前記パウチとカバーは、その隣接部にパウチとカバーを分離可能にする第１取付ユニットと、を備えることをその特徴とする。
【００１０】
本発明の一つの特徴は、前記パウチの一側面には対象体に前記パウチを分離可能に取り付けるための第２取付ユニットが備えられる。
【００１１】
また、本発明による前記第２取付ユニットは、前記パウチの背面に提供され、スロット形態の切開溝を有した取付バンド形態であることを特徴とする。
【００１２】
また、本発明による前記タオル体は、パウチ及びカバーのうちいずれか一側に分離可能に連結されていることを特徴とする。
【００１３】
上記目的を実現するための本発明の他の実施例によるタオルは、一側に形成された入口を選択的に遮蔽するカバー部を一体に有したパウチと、及びその内部に収容保管された状態で選択的に外部に取り出して使用されるタオル体を備えるタオルにおいて、前記タオル体は、端部に所定長さの連結バンドが一体に連結され、前記パウチは、入口と反対の位置に貫通穴を形成し、前記連結バンドの端部とパウチの外面の一側には、互いに選択的に着脱可能にする接合パーツがさらに形成されていることを特徴とする。
【００１４】
さらに、本発明による前記接合パーツは、ベルクロテープであることを特徴とする。
【００１５】
本発明のまた他の実施例によるタオルは、一側に形成された入口を選択的に遮蔽するカバー部を一体に有したパウチ、及びその内部に収容保管された状態で選択的に外部に取り出して使用されるタオル体を備えるタオルにおいて、前記タオル体は、端部に所定長さの連結バンドが一体に連結形成され、前記パウチは、入口と反対の位置に内・外部へ両端が突出したバックルバンドを有し、前記連結バンドとバックルバンドは、互いに嵌合することによって選択的に分離結合される締結手段をさらに備えることを特徴とする。
【００１６】
また、本発明による前記締結手段は、１対の弾性部材を有する挿入体と、前記挿入体の弾性部材が弾力的に嵌合される組立溝を形成した収容体で構成されることを特徴とする。
【００１７】
また、本発明による前記バックルバンドは、前記パウチの外部に露出される一端がループ状のループ部で形成されることを特徴とする。
【００１８】
本発明のまた他の実施例によるタオルは、一側に形成された入口を選択的に遮蔽するカバー部を一体に有したパウチ、及びその内部に収容保管された状態で選択的に外部に取り出して使用されるタオル体を備えるタオルにおいて、前記タオル体は、端部に所定長さの連結バンドが一体に連結形成され、前記パウチは、入口と反対の位置に貫通穴を形成し、前記連結バンドの端部とパウチの外面一側には互いに弾性的に嵌合することによって選択的に分離結合される締結手段をさらに備えることを特徴とする。
【００１９】
また、本発明による前記締結手段は、一端が前記貫通穴を挿入通過する延長バンドと、前記延長バンドの両端と前記連結バンドの端部及びパウチの外面の一側にそれぞれ接合して形成され、弾性変位する弾性部材を有する挿入体と、及び前記挿入体の弾性部材が弾力的に嵌合する組立溝を形成した収容体とで構成されている。
【発明の効果】
【００２０】
上記の本発明によれば、携帯及び保管を非常に便利にしてその使用便宜性を高め、タオルに吸収された水分が外部に蒸発しやすくすることによって使用上の便利性をさらに向上させることができる。
【００２１】
さらに、本発明によるタオルは、簡単な操作だけでパウチとタオル体を容易に分離及び結合可能にして洗濯時の煩わしさを解消することができ、また、新しいタオルに交換することも簡単に行うことができ、消費者の製品満足度を向上させる効果がある。なお、前記パウチをバックや洋服などに連結リングを利用して固定すれば、前記パウチをバックや洋服などから分離することなくタオル体だけを分離して使えて、従来タオルの使用範囲が制限される不具合を解消する効果がある。
【００２２】
特に、前記パウチとタオル体の連結構造に対する製品デザインの自由度を高めることができ、製品競争力の確保が期待できるという効果がある。
【００２３】
この発明の前述の態様および多くの利点は、添付図面と併せて以下の詳細な説明を参照することにより更に良く理解されるようになる。本発明の明細書及び請求の範囲に記載の用語及び単語は、通常的かつ辞書的な意味で解釈されてはならず、発明者が該発明を最善の方法で説明するために用語の概念を適宜定義できるという原則に基づいて、本発明の技術的思想に符合する意味や概念で解析されるべきである。
【図面の簡単な説明】
【００２４】
【図１】本発明の一実施例によるタオルを示す図である。
【図２】本発明の一実施例によるタオルを示す図である。
【図３】本発明の一実施例によるタオルを示す図である。
【図４】本発明の一実施例によるタオルを示す図である。
【図５】本発明の他の実施例によるタオルの背面を示す斜視図である。
【図６】本発明の他の実施例によるタオルを示す図である。
【図７】本発明の他の実施例によるタオルを示す図である。
【図８】本発明のまた他の実施例によるタオルを示す部分切開斜視図である。
【図９】本発明のまた他の実施例によるタオルを示す部分切開斜視図である。
【図１０】本発明のまた他の実施例によるタオルの内部構成を説明するための要部断面図である。
【図１１】本発明のまた他の実施例によるタオルを示す部分切開斜視図である。
【図１２】本発明のまた他の実施例によるタオルを示す部分切開斜視図である。
【発明を実施するための形態】
【００２５】
以下、添付した図面を参照して本発明の好ましい実施例を詳細に説明する。
【００２６】
図１乃至図４は、本発明の一実施例によるタオルを示している。
【００２７】
図示するように、本発明のタオルは、パウチ１０、カバー部１５、タオル体２０を含んでいる。
【００２８】
パウチ１０は、その一側に開口１２を有し、その内部にタオル体２０を畳んで収容できる収容空間１０ａを有している。
【００２９】
そして、このパウチ１０は、図２に示すように、その一部面または全体に複数の通気孔１４ａを形成することにより、パウチ１０の収容空間１０ａに収容されるタオル体２０の通風性を大きく高めることができる。
【００３０】
カバー部１５は、このパウチ１０の開口１２に一体に設けられ、このカバー部１５は、パウチ１０の開口１２を開閉する。
【００３１】
そして、このカバー部１５及びパウチ１０が互いに隣接する部分には、カバー部１５によりパウチ１０の開口の閉鎖状態を維持するための第１取付ユニットを備えてもよい。
【００３２】
このような第１取付ユニットとして、図１ではベルクロファスナーからなる付着パーツ（１５ａ、１５ｂ）を示したが、本発明がこれに限定されるものではなく、スナップファスナー（snap  fastner）、ロックフック、各種ボタンなど、着脱可能な様々な付着手段が適用できる。
【００３３】
タオル体２０は、パウチ１０またはカバー部１５のいずれか一側面に固定的に連結されるか、分離可能に連結されている。
【００３４】
より詳細に説明すると、タオル体２０は、図４に示すように、パウチ１０の内側に固定的に連結するか、或いはカバー部１５の内側面に固定的に連結することにより、タオル体２０が畳まれてパウチ１０の収容空間１０ａ内に収容されれば、タオル体２０が外部に露出しない構成とされる。
【００３５】
好ましくは、本発明のタオル体２０は、主に極細繊維糸で製造されており、湿気の吸収、異物の除去、吸収した水分の蒸発などが非常に活発に行われるというメリットを有する。
【００３６】
一方、前記パウチ１０の一側には、図１及び図２に示すように、第２取付ユニット４０を備えてもよい。
【００３７】
第２取付ユニット４０は、パウチ１０を着ている洋服やベルトなどに分離可能に取り付けるためのもので、図１及び図２では、着脱可能なループ形状を示している。
【００３８】
しかし、本発明の第２取付ユニット４０は、図１乃至図４に示すループ形状に限定されるのではなく、ベルクロファスナーー、ロックフックなど、着脱可能に構成できる様々な形態の付着手段が適用可能である。
【００３９】
以下、上記構成の本発明の一実施例による使用例を説明する。
パウチ１０の第２取付ユニット４０を着ている洋服やベルトのループなどに取り付けて本発明のタオルを携帯し、顔や体の湿気または汗などをふき取るために、カバー部１５をパウチ１０から開放した後、パウチ１０内のタオル体２０を広げて使用する。
【００４０】
その後、タオル体２０を再び保管しようとする場合は、タオル体２０を畳んでパウチ１０内の収容空間１０ａに収容する。
【００４１】
さらにまた、本発明の第２取付ユニットは、図５に示すように、パウチ１０の一側、好ましくは、背面側にスロット形態の切開溝５１を有した取付バンド５２を備える構成とすることもできる。
【００４２】
このような取付バンド５２は、ベルトなどが切開溝５１を通過して挿入されて、使用者が容易に携帯及び保管することが可能である。
【００４３】
このように、本発明は、パウチ１０内にタオル体２０を保管して、必要時に容易に使用することができ、その使用上の便利性が大きく向上する。
【００４４】
そして本発明は、タオル体２０は、主に極細繊維糸で製造され、湿気の吸収、異物の除去、吸収された水分の蒸発などが非常に容易であるというメリットがある。
【００４５】
図６及び図７は、本発明の他の実施例によるタオルを示す図である。
【００４６】
同図に示すように、本発明のタオル体２０は、前記パウチ１０の入口を選択的に遮蔽可能に設けられたベルクロファスナーからなる付着パーツ１５ｂと一体になるように縫製により付着固定することができる。
【００４７】
このように、前記パウチ１０の付着パーツ１５ｂとタオル体２０の一側端を一体化して縫製により固定する場合、上記の一実施例に比べて工程数が短縮され、生産性向上及び製造費用の節減を図ることができると同時に、前記タオル体２０が取り出される位置が従来に比べてカバー部１５側に寄るようになり、前記タオル体２０が取り出される長さが延びる効果がある。
【００４８】
図８及び図９は、本発明のまた他の実施例によるタオルの構成を説明するための要部の切開斜視図である。
【００４９】
図示するように、本発明のタオル１は、大きく分けて、内部に収容空間を有する袋状のパウチ１０と、前記パウチ１０の内部に収容されて選択的に外部に取り出して使用されるタオル体２０とを含んで構成されている。
【００５０】
パウチ１０は、内部に所定大きさの収容空間を形成し、その一側に後で説明するタオル体２０を入れたり取り出すための入口（符号なし）が形成されている。
【００５１】
このようなパウチ１０は、２枚の互いに異なる生地を縫製により一体化したもので、図示するように、一面には、合成糸や天然糸、或いはこれらを混合した糸からなる生地で遮蔽面１１を設け、他面には、内部に収納されるタオル体２０の通気性を確保するために、等間隔で通気孔を形成したメッシュ網からなる通風面１４を設けて形成される。ここで、前記通風面１４には、前記パウチ１０の入口を覆うだけの大きさを有するカバー部１５が一体に形成されている。
【００５２】
そして、前記遮蔽面１１とカバー部１５には、各々ベルクロファスナーからなる付着パーツ（１５b、１５a）が設けられ、前記カバー部１５を前記遮蔽面１１側に折り返した状態で付着することによって入口を遮蔽することができるようになる。一方、前記遮蔽面１１とカバー部１５において、図示するように、ベルクロファスナーからなる付着パーツ（１５ｂ、１５a）の他に、公知のスナップファスナーや各種ボタン或いは紐などが使用できる。
【００５３】
タオル体２０は、前記パウチ１０の内部に保管された状態で選択的に使用者が外部に取り出して使用するもので、汗や水分の吸収及び蒸発、異物の除去が容易な生地で作られ、好ましくは、綿や機能性布地であるマイクロファイバーを利用して製造する。このようなタオル体２０は、使用しない場合は、前記パウチ１０の内部に畳まれて保管され、前記パウチ１０のカバー部１５が入口を遮蔽することによって外部に露出しないように構成されている。
【００５４】
このような構成は、上記の一実施例で示すタオルの構成とほぼ同様である。しかし、本発明は、前記パウチ１０とタオル体２０を互いに選択的に分離可能にすることをその技術的特徴とする。
【００５５】
すなわち、本発明は、タオル１を構成するパウチ１０とタオル体２０に次のような構成を加えることにより、前記パウチ１０とタオル体２０とを選択的に分離可能とする。
前記パウチ１０において、前記タオル体２０を外部に取り出したりその内部の収容空間に入れるための入口と反対の位置に貫通穴ｈが形成されている。この場合、前記貫通穴ｈは、前記入口より小さな大きさに形成されることが好ましい。
【００５６】
また、前記パウチ１０において、前記貫通穴ｈに隣接する遮蔽面１１の一側に接合パーツ１６が形成され、ここで、接合パーツ１６は、ベルクロ帯を縫って形成される。
前記タオル体２０は、四角形または長方形の生地であって、一側角には所定の長さを有する連結バンド２５が一体に連結されている。このときの連結バンド２５は、その端部に前記遮蔽面１１の接合パーツ１６と選択的に着脱する接合パーツ２６が一体に形成され、ここで、前記接合パーツ２６は、ベルクロ帯を縫って形成される。
【００５７】
このようなタオル体２０は、前記連結バンド２５を前記パウチ１０の貫通穴ｈに挿入通過させ、その外面、つまり遮蔽面１１に提供される接合パーツ１６に接合パーツ２６を取り付けて固定状態を維持しており、ここで前記連結バンド２５はその一端を、図示するように、ループ状のものを利用してそれをバックや洋服などに連結して使用することができ、また、図１２の連結リングｃをさらに連結して使用することもできる。
【００５８】
一方、前記パウチ１０の遮蔽面１１に設けられる接合パーツ１６と、前記タオル体２０の連結バンド２５に設けられる接合パーツ２６は、ベルクロファスナーで形成することが好ましいが、さらにこの他に、スナップファスナーや紐などを利用して互いに着脱可能に形成することができる。
【００５９】
上記構成の本発明の一実施例によるタオルの使用例を簡単に説明すると以下のとおりである。
【００６０】
パウチ１０の内部にタオル体２０が収容された状態でタオルを使用するためには、まず、前記パウチ１０の入口を遮蔽しているカバー部１５を遮蔽面１１から分離する方向に開けて入口を開放する。次いで、前記パウチ１０の内部に収容されたタオル体２０を外部に取り出して広げて汗や水分などをふき取る。
【００６１】
前記タオル体２０を使用した後、前記パウチ１０の内部に保管するためには、前記パウチ１０の入口からタオル体２０を畳んで入れた後、前記カバー部１５を遮蔽面１１の前方に折り返してそれぞれの付着パーツ（１５ｂ、１５ａ）を利用して互いに付着させる。
【００６２】
一方、前記タオル１は、パウチ１０に形成された貫通穴ｈを介してタオル体２０に連結された連結バンド２５が挿入通過し、前記遮蔽面１１と連結バンド２５に設けられるそれぞれの接合パーツ１６と接合パーツ２６が着脱することにより、前記パウチ１０からタオル体２０を選択的に分離することができるようになる。
【００６３】
上記のように、前記パウチ１０とタオル体２０が互いに選択的に分離できることにより、タオル体２０の洗濯が容易になると同時に、前記タオル体２０を新しいタオルに交換することも可能となる。さらに、前記タオル体２０が選択的に分離可能であるため、前記パウチ１０がバックや洋服などに固定されていても、その使用範囲に制限がなく、使用上の便宜性が確保できる。
【００６４】
図１１は、本発明のまた他の実施例によるタオルを示す部分切開斜視図である。
同図に示すように、本実施例によるタオル１は、大きく分けて、内部に収容空間を有する袋状のパウチ１０と、前記パウチ１０の内部に収容されて選択的に外部に取り出して使用されるタオル体２０とを含んで構成される。
【００６５】
このような構成は、上記の一実施例の構成とほぼ同様である。しかし、本実施例では、パウチ１０とタオル体２０を互いに選択的に分離可能にすることにより、ベルクロファスナーを利用することなく、堅固な結合力を維持できる締結手段を利用して連結することを開示する。
【００６６】
すなわち、前記パウチ１０は、前記タオル体２０を外部に取り出したり、その内部の収容空間に入れるための入口と反対の位置に、内・外部に両端が突出したバックルバンド１７を縫製により一体化して形成する。このときの前記バックルバンド１７は、所定の幅を有する生地を利用し、前記パウチ１０の外部に露出する一端がループ形状を有するようにループ部１８が形成される。このようなループ部１８には、図示するように、連結リングｃなどを連結して使用するか、或いは前記ループ部１８をバックや洋服に連結して使用することができる。
【００６７】
そして、前記タオル体２０は、一側角に所定の長さを有する連結バンド２５が一体に連結されている。
【００６８】
このように構成されるパウチ１０のバックルバンド１７とタオル体２０の連結バンド２５には、互いに弾力的に結合及び解釈するための締結手段が備えられ、このときの前記締結手段として、公知の技術により実施されるもので、１対の弾性部材を有する挿入体、及び前記挿入体の弾性部材が弾力的に嵌合する組立溝を形成した収容体からなるバックルが使用される。
【００６９】
一方、本発明では、図示するように、前記パウチ１０の内部に位置するバックルバンド１７の一端に収容体１９を連結し、前記タオル体２０の連結バンド２５の端に挿入体２９を連結する構成が示されているが、本発明がこれに限定されるものではなく、前記収容体１９と挿入体２９の位置を変えても構わない。
【００７０】
このように構成される本発明の他の実施例によるタオルは、前記パウチ１０に一体に設けられる収容体１９と、前記タオル体２０に一体に設けられる挿入体２９によって選択的に分離可能であるため、上記の一実施例のように、前記タオル体２０の洗濯を容易にすると同時に、前記タオル体２０を新しいタオル体２０に交換することが可能である。さらに、前記タオル体２０を選択的に分離できることにより、前記パウチ１０がバックや洋服などに固定されていてもその使用範囲に制限がなく、使用上の便利性がよくなる。
【００７１】
図１２は、本発明のまた他の実施例によるタオルを示す部分切開斜視図である。図示するように、本実施例によるタオル１は、大きく分けて、内部に収容空間を有する袋状のパウチ１０と、前記パウチ１０の内部に収容されて選択的に外部に取り出して使用されるタオル体２０とを含んで構成され、このような構成は、上記の実施例とほぼ同様である。しかし、本実施例では、前記パウチ１０とタオル体２０を互いに選択的に分離可能にする締結手段を備えている。即ち、前記パウチ１０に提供される入口と反対の位置に貫通穴（符号なし）を形成し、この貫通穴に所定の長さを有する延長バンド１７ａの一端が挿入通過するように配置し、このときの前記延長バンド１７ａは、その一側端がそれぞれタオル体２０の連結バンド２５に設けられる挿入体２９と嵌合するように収容体１９ａが連結され、他側端は、前記パウチ１０の外面一側に連結固定された収容体１９ｂと弾力的に嵌合するように挿入体２９ａが連結形成されている。
【００７２】
このように、前記延長バンド１７ａが前記パウチ１０に形成された貫通穴を通過して配置される構成によりループ形状に形成されることができ、該部分に連結リングなどを連結して使用することができる。
【００７３】
上記構成の本発明のまた他の実施例によるタオル１は、延長バンド１７ａをさらに設けることにより、その両端に設けられた挿入体２９ａと収容体１９ａをそれぞれパウチ１０の外面に提供される収容体１９ｂ、及びタオル体２０に提供される挿入体２９と結合させて一体に構成することができるが、上記実施例と同様に使用できるので詳細説明は省略する。
【００７４】
尚、本発明は、上述の実施例に限られるものではない。本発明の技術的範囲から逸脱しない範囲内で多様に変更実施できることは当業者にとって明らかである。従って、それらの変形及び改良形態も本発明の技術的範囲に属すると解されるべきである。
【符号の説明】
【００７５】
１    タオル
１０    パウチ
１１    遮蔽面
１４    通風面
１５a、１５b    付着パーツ
１６    接合パーツ
２０    タオル体
２５    連結バンド
２６    接合パーツ
ｃ    連結リング
【図１】
0005612309.tif 000002
【図２】
0005612309.tif 000003
【図３】
0005612309.tif 000004
【図４】
0005612309.tif 000005
【図５】
0005612309.tif 000006
【図６】
0005612309.tif 000007
【図７】
0005612309.tif 000008
【図８】
0005612309.tif 000009
【図９】
0005612309.tif 000010
【図１０】
0005612309.tif 000011
【図１１】
0005612309.tif 000012
【図１２】
0005612309.tif 000013